(57)【要約】  【課題】複数の伝送装置が縦列接続され、方式変換装置を含んで構成された伝送路であっても、各地点における映像の画質特徴量に基づいて伝送路上の伝送画質を遠隔監視可能にすること。  【解決手段】６２５／５０方式の映像は、伝送路１の途中の方式変換装置で５２５／６０方式の映像に変換されて伝送される。伝送路１の入力側の走査線間引き手段２で６２５／５０方式の方から走査線を間引き、出力側のフィールド（フレーム）間引き手段４で５２５／６０方式の方からフィールドを間引くことにより、まず、フォーマットを見掛けの上で合わせる。その後、画質特徴量抽出部３，５で画質特徴量を抽出し、中央監視室６へ伝送する。中央監視室６の比較手段７は、伝送されてきた画質特徴量を比較して伝送路１上の伝送画質を監視する。  【選択図】図１
2005252453.tif 000002
【特許請求の範囲】
【請求項１】
複数の伝送装置が縦列接続され、方式変換装置を含んで構成された伝送路の各地点における映像の画質特徴量を抽出し、これにより抽出された画質特徴量を比較することにより伝送路上の伝送画質を監視する伝送画質監視装置において、
ある地点における映像の走査線を一定割合で間引く間引き手段と、
前記間引き手段により走査線が間引かれた映像の画質特徴量を抽出する第１の特徴量抽出手段と、
他の地点における映像の画質特徴量を抽出する第２の特徴量抽出手段と、
中央監視室に設けられ、前記第１および第２の特徴量抽出手段で抽出された画質特徴量を比較する比較手段を備えたことを特徴とする伝送画質監視装置。
【請求項２】
複数の伝送装置が縦列接続され、方式変換装置を含んで構成された伝送路の各地点における映像の画質特徴量を抽出し、これにより抽出された画質特徴量を比較することにより伝送路上の伝送画質を監視する伝送画質監視装置において、
ある地点における映像のフィールドまたはフレームを一定割合で間引く間引き手段と、
前記間引き手段によりフィールドまたはフレームが間引かれた映像の画質特徴量を抽出する第１の特徴量抽出手段と、
他の地点における映像の画質特徴量を抽出する第２の特徴量抽出手段と、
中央監視室に設けられ、前記第１および第２の特徴量抽出手段で抽出された画質特徴量を比較する比較手段を備えたことを特徴とする伝送画質監視装置。
【請求項３】
複数の伝送装置が縦列接続され、方式変換装置を含んで構成された伝送路の各地点における映像の画質特徴量を抽出し、これにより抽出された画質特徴量を比較することにより伝送路上の伝送画質を監視する伝送画質監視装置において、
ある地点における映像の水平画素を一定割合で間引く間引き手段と、
前記間引き手段により水平画素が間引かれた映像の画質特徴量を抽出する第１の特徴量抽出手段と、
他の地点における映像の画質特徴量を抽出する第２の特徴量抽出手段と、
中央監視室に設けられ、前記第１および第２の特徴量抽出手段で抽出された画質特徴量を比較する比較手段を備えたことを特徴とする伝送画質監視装置。
【請求項４】
複数の伝送装置が縦列接続され、方式変換装置を含んで構成された伝送路の各地点における映像の画質特徴量を抽出し、これにより抽出された画質特徴量を比較することにより伝送路上の伝送画質を監視する伝送画質監視装置において、
ある地点における映像の画質特徴量を抽出する第１の特徴量抽出手段と、
他の地点における映像の画質特徴量を抽出する第２の特徴量抽出手段と、
中央監視室に設けられ、前記第１の特徴量抽出手段で抽出された画質特徴量を一定の割合で廃棄する廃棄手段と、
前記中央監視室に設けられ、前記廃棄手段から送出される画質特徴量と前記第２の特徴量抽出手段で抽出された画質特徴量を比較する比較手段を備えたことを特徴とする伝送画質監視装置。
【請求項５】
前記第１および第２の画質特徴量抽出手段は、入力映像を任意のサイズのブロックに分割するブロック分割部と、ブロック内の映像を直交変換する直交変換部と、直交変換された任意の周波数成分値を取り出す係数抽出部とからなることを特徴とする請求項１ないし４のいずれかに記載の伝送画質監視装置。 
【請求項６】
前記第１および第２の画質特徴量抽出手段は、入力映像を２のべき乗の正方形のブロックに分割するブロック分割部と、ブロック内の映像を直交変換する直交変換部と、直交変換された任意の周波数成分値を取り出す係数抽出部とからなることを特徴とする請求項１ないし４のいずれかに記載の伝送画質監視装置。
【発明の詳細な説明】
【技術分野】
【０００１】
本発明は伝送画質監視装置に関し、特に、複数の伝送装置が縦列接続され、方式変換装置を含んで構成された伝送路の各地点における映像の画質特徴量を抽出し、これにより抽出された画質特徴量を比較することにより伝送路上の伝送画質を遠隔監視する伝送画質監視装置に関する。 
【背景技術】
【０００２】
映像を処理する複数の伝送装置が縦続接続された伝送路上の伝送画質を監視する場合、各地点における映像の画質特徴量を抽出し、これにより抽出された画質特徴量を中央監視室に伝送して比較することにより伝送路上の伝送画質を一括して遠隔監視できる。
【０００３】
本発明者らは、伝送路上の伝送画質を監視するための画質特徴量の計算方法を特許文献１，２で既に提案した。この画質特徴量の計算方法は、映像をあるサイズのブロックに分割して、各ブロックの映像を直交変換して変換係数を抽出し、これにより抽出された変換係数を中央監視室へ伝送することを特徴としている。特に、この画質特徴量の計算方法が効果を発揮するのは、特許文献１，２に記載されているように、映像にスペクトル拡散を適用した後に直交変換し、変換係数を抽出して伝送する場合である。スペクトル拡散は、映像を構成する各画素の符号をランダムに変化させることにより実現される。
【特許文献１】特開２００３−９１８６号公報
【特許文献２】特開２００３−８７８２３号公報
【発明の開示】
【発明が解決しようとする課題】
【０００４】
特許文献１，２で提案された発明によれば、例えば、映像圧縮符号化伝送装置などによる符号化ノイズや伝送路エラーに基づく受信映像の信号対雑音比の劣化を正確に推定することが可能となる。
【０００５】
しかしながら、複数の伝送装置が縦列接続された伝送路に方式変換装置が含まれて、伝送路の途中で映像がフォーマット変換されて伝送される場合、画面を構成するライン数、１秒間のフィールド数やフレーム数、水平画素数が方式変換装置の前後で変わることになる。
【０００６】
特許文献１，２で提案された発明は、伝送路上の伝送画質の監視を、送信側と受信側の映像を比較することにより行うものであり、比較に際しては、映像を構成する画素ごとの差分の自乗和(平均自乗誤差：MSE)を遠隔から推定するという枠組みを使用している。この枠組みは、画素ごとの差分をとるということから理解できるとおり、伝送前後の映像のフォーマット（走査線数，フィールド数やフレーム数，水平画素数）が一致しているということを前提としている。
【０００７】
すなわち、特許文献１，２で提案された発明では、伝送路の各地点での映像のフォーマットが同一であることを前提としているため、伝送路の途中で映像のフォーマットが変換されると、フォーマット変換の前後の映像を比較することができない。
【０００８】
例えば、ヨーロッパと日本間などで映像が伝送される場合、ヨーロッパでの映像は、１フレーム内に走査線（垂直ライン）が６２５本、１秒間のフィールド数が５０枚（フレーム数は２５枚）の６２５／５０方式であり、一方、日本での映像は、１フレーム内に走査線（垂直ライン）が５２５本、１秒間のフィールド数が６０枚（フレーム数は３０枚）の５２５／６０方式である。なお、両方式の水平画素数は同じである。
【０００９】
このように映像のフォーマットが違う国間の伝送では、伝送の途中で方式変換が行われるため、伝送路上の伝送画質の遠隔監視ができないという課題が残されている。
【００１０】
本発明の目的は、複数の伝送装置が縦列接続され、方式変換装置を含んで構成された伝送路であっても、各地点における映像の画質特徴量に基づいて伝送路上の伝送画質を遠隔監視できる伝送画質監視装置を提供することにある。 
【課題を解決するための手段】
【００１１】
上記課題を解決するために、本発明は、複数の伝送装置が縦列接続され、方式変換装置を含んで構成された伝送路上の各地点における映像の画質特徴量を抽出し、これにより抽出された画質特徴量を比較することにより伝送路の伝送画質を監視する伝送画質監視装置において、ある地点における映像の走査線を一定割合で間引く間引き手段と、前記間引き手段により走査線が間引かれた映像の画質特徴量を抽出する第１の特徴量抽出手段と、他の地点における映像の画質特徴量を抽出する第２の特徴量抽出手段と、中央監視室に設けられ、前記第１の特徴量抽出手段で抽出された画質特徴量と前記第２の特徴量抽出手段で抽出された画質特徴量を比較する比較手段を備えた点に第１の特徴がある。
【００１２】
また、本発明は、複数の伝送装置が縦列接続され、方式変換装置を含んで構成された伝送路の各地点における映像の画質特徴量を抽出し、これにより抽出された画質特徴量を比較することにより伝送路上の伝送画質を監視する伝送画質監視装置において、ある地点における映像のフィールドまたはフレームを一定割合で間引く間引き手段と、前記間引き手段によりフィールドまたはフレームが間引かれた映像の画質特徴量を抽出する第１の特徴量抽出手段と、他の地点における映像の画質特徴量を抽出する第２の特徴量抽出手段と、中央監視室に設けられ、前記第１の特徴量抽出手段で抽出された画質特徴量と前記第２の特徴量抽出手段で抽出された画質特徴量を比較する比較手段を備えた点に第２の特徴がある。
【００１３】
また、本発明は、複数の伝送装置が縦列接続され、方式変換装置を含んで構成された伝送路の各地点における映像の画質特徴量を抽出し、これにより抽出された画質特徴量を比較することにより伝送路上の伝送画質を監視する伝送画質監視装置において、ある地点における映像の水平画素を一定割合で間引く間引き手段と、前記間引き手段により水平画素が間引かれた映像の画質特徴量を抽出する第１の特徴量抽出手段と、他の地点における映像の画質特徴量を抽出する第２の特徴量抽出手段と、中央監視室に設けられ、前記第１の特徴量抽出手段で抽出された画質特徴量と前記第２の特徴量抽出手段で抽出された画質特徴量を比較する比較手段を備えた点に第３の特徴がある。
【００１４】
また、本発明は、複数の伝送装置が縦列接続され、方式変換装置を含んで構成された伝送路の各地点における映像の画質特徴量を抽出し、これにより抽出された画質特徴量を比較することにより伝送路上の伝送画質を監視する伝送画質監視装置において、ある地点における映像の画質特徴量を抽出する第１の特徴量抽出手段と、他の地点における映像の画質特徴量を抽出する第２の特徴量抽出手段と、中央監視室に設けられ、前記第１の特徴量抽出手段で抽出された画質特徴量を一定の割合で廃棄する廃棄手段と、前記中央監視室に設けられ、前記廃棄手段から送出される画質特徴量と前記第２の特徴量抽出手段で抽出された画質特徴量を比較する比較手段を備えた点に第４の特徴がある。
【００１５】
また、本発明は、前記第１および第２の画質特徴量抽出手段が、入力映像を任意のサイズのブロックに分割するブロック分割部と、ブロック内の映像を直交変換する直交変換部と、直交変換された任意の周波数成分値を取り出す係数抽出部とからなる点に第５の特徴がある。
【００１６】
さらに、本発明は、前記第１および第２の画質特徴量抽出手段が、入力映像を２のべき乗の正方形のブロックに分割するブロック分割部と、ブロック内の映像を直交変換する直交変換部と、直交変換された任意の周波数成分値を取り出す係数抽出部とからなる点に第６の特徴がある。
【発明の効果】
【００１７】
本発明の第１ないし第３の特徴によれば、まず、伝送路の各地点から監視用の画質特徴量を映像から抽出する前に、伝送路の地点の、画面内の走査線数の多い映像については走査線を一定割合で間引き、また、フィールド数またはフレーム数の多い映像についてはフィールドまたはフレームを一定の割合で間引き、また、水平画素数の多い映像については水平画素を一定の割合で間引くことにより、フォーマット変換の前後での映像のフォーマットの相違をなくすことができるので、擬似的に同一フォーマットの映像を比較することが可能となる。
【００１８】
したがって、この間引き処理を施した後に映像の画質特徴量を抽出して各地点から伝送し、中央監視室において各地点から伝送されてきた各画質特徴量を比較することにより、伝送の途中で映像のフォーマット変換が行われたとしても、伝送路上の伝送画質を遠隔監視することができる。
【００１９】
また、第４の特徴によれば、伝送路の各地点から監視用の画質特徴量を映像から抽出する前に、伝送路の各地点の、画面内の走査線数の多い映像については走査線を一定割合で間引き、また、水平画素数の多い映像については水平画素を一定の割合で間引く。この間引き処理を施した後に映像の画質特徴量を抽出して各地点から中央監視室に伝送する。
【００２０】
この時点では、中央監視室にはフィールド数またはフレーム数の多い映像を伝送している地点からは画質特徴量が余計に到着することになるが、中央監視室ではその余計な画質特徴量を一定の割合で廃棄する。これにより、フォーマット変換の前後での映像のフォーマットの相違をなくすことができるので、擬似的に同一フォーマットの映像を比較することが可能となる。
【００２１】
また、第５の特徴によれば、画質特徴量抽出に際し、映像を任意のサイズのブロックに分割した後ブロックごとに直交変換するので、1回あたりの直交変換の計算量を減らすことができる。また、直交変換のある周波数成分を取り出して推定に使用することにより、変換前の信号を間引きにより同じ量だけ取り出す場合に比べ、劣化をより高精度に推定しやすくすることができる。
【００２２】
また、直交変換を行う前に、画像に対しスペクトル拡散を行えば、周波数特性に偏りのあるノイズを、周波数拡散することができる。その後、直交変換して、ある周波数成分の値を取り出し、送信側と受信側で差分を取ることにより、そのノイズのサンプルがより代表としてふさわしい、ノイズの平均値を表したものとなる。すなわち、より高精度で、伝送画質の自動遠隔監視が実現できる。
【００２３】
さらに、第６の特徴によれば、任意のサイズの画面に対して２のべき乗のサイズの直交変換を適用することが可能になるため、伝送画質監視装置の簡易化が可能になる。また、画像をブロック分割する際、隣り合った画素同士ではなく離れた画素をサンプリングして各ブロックを構成することにより、画像面上の広い範囲を比較的小さいサイズのブロックでカバーして監視することができるようになり、伝送画質監視装置の簡易化が可能になる。
【発明を実施するための最良の形態】
【００２４】
図面を参照して本発明を詳細に説明する。以下では６２５／５０方式の映像を５２５／６０変換する方式変換装置を含む伝送路上の伝送画質を遠隔監視する場合を例として説明するが、本発明はその例に限られず、その他の方式間の変換を含む伝送路上の伝送画質を監視する場合にも適用することができる。
【００２５】
図１は、本発明に係る伝送画質監視装置の第１の実施形態を示すブロック図である。第１の実施形態は、６２５／５０方式の方から走査線を間引き、５２５／６０方式の方からフィールドを間引くことにより、まず、フォーマットを見掛けの上で合わせ、その後、画質特徴量を抽出し比較して伝送路上の伝送画質を監視する、ということを原理としている。
【００２６】
６２５／５０方式の映像は、伝送路１の途中に備えられた方式変換装置で５２５／６０方式の映像に変換されて伝送される。図２は、６２５／５０方式と５２５／６０方式のフィールド（ａ）と走査線（ｂ）の違いと両者間での方式変換の概念を示す図である。上述したように、６２５／５０方式では１フレーム内に走査線（垂直ライン）が６２５本、１秒間のフィールド数が５０枚（フレーム数は２５枚）であり、５２５／６０方式では１フレーム内に走査線（垂直ライン）が５２５本、１秒間のフィールド数が６０枚（フレーム数は３０枚）である。
【００２７】
６２５／５０方式と５２５／６０方式間の変換は、一方の方式のフィールドまたは走査線から他方の方式のフィールドまたは走査線を推定することにより行われる。図２(ａ)に示すように、６２５／５０方式のフィールドを順にＦ１，Ｆ２，Ｆ３，・・・で表し、５２５／６０方式のフィールドを順にｆ１，ｆ２，ｆ３，・・・で表すと、例えばフィールドｆ２はフィールドＦ１とＦ２から推定され、フィールドｆ３はフィールドＦ２とＦ３から推定される。逆に、フィールドＦ２はフィールドｆ２とｆ３から推定され、フィールドＦ３はフィールドｆ３とｆ４から推定される。走査線（図２（ｂ）のライン数変換）についても同様である。
【００２８】
伝送路上の伝送画質を監視するために、伝送路１の入力側の映像を抽出し、走査線間引き手段２を介して画質特徴量抽出部３に入力する。また、伝送路１の出力側の映像を抽出し、フィールド（フレーム）間引き手段４を介して画質特徴量抽出部５に入力する。
【００２９】
画質特徴量抽出部３，５で抽出された画質特徴量は、電話回線やＬＡＮ回線などの低速回線を通じて中央監視室８へ伝送される。中央監視室６は、比較手段７を備え、伝送されてきた画質特徴量をこの比較手段７で比較することにより伝送路上の伝送画質を遠隔監視する。この比較には、例えば平均自乗誤差(MSE)を用いる。
【００３０】
次に、走査線間引き手段２における処理について説明する。伝送路１による伝送前後の映像を比較して伝送路上の伝送画質を監視するという目的上、中央監視室６の比較手段７で比較する比較対象走査線同士がなるべく位置的に近いことが要求される。
【００３１】
走査線間引き手段２はこれを実現するものである。図３は、走査線間引き手段２での間引き処理を具体的に示す概念図である。なお、○は奇数フィールドの走査線を表し、×は偶数フィールドの走査線を表している。図３（ａ）は、６２５／５０方式の奇数フィールドの走査線に５２５／６０方式の奇数フィールドの走査線を対応させる場合（実線）と偶数フィールドの走査線をを対応させる場合（破線）があることを示している。また、図３（ｂ）は、６２５／５０方式の偶数フィールドの走査線に５２５／６０方式の奇数フィールドの走査線を対応させる場合（実線）と偶数フィールドの走査線を対応させる場合（破線）があることを示している。
【００３２】
６２５／５０方式の奇数フィールドの走査線を順にＬ１，Ｌ２，Ｌ３，・・・、偶数フィールドの走査線をＬ１′，Ｌ２′，Ｌ３′，・・・、で表し、５２５／６０方式の奇数フィールドの走査線を順にｌ１，ｌ２，ｌ３，・・・、偶数フィールドの走査線をｌ１′，ｌ２′，ｌ３′，・・・で表すと、６２５／５０方式の奇数フィールドの場合には、はじめに上から３ライン目の走査線Ｌ３を間引き、偶数フィールドの場合には上から５ライン目の走査線Ｌ５′を間引く。以後、６ラインごとに１ラインずつの走査線を間引く。 
【００３３】
これにより、比較対象同士の走査線の本来の位置との距離差は最大でも０．８ライン(６２５／５０方式への換算）になり、実用上十分な精度で走査線同士を比較して伝送路上の伝送画質を監視できる。
【００３４】
次に、フィールド（フレーム）間引き手段５における処理について説明する。伝送路１による伝送前後の映像を比較して伝送路１の伝送画質を監視するという目的上、中央監視室６の比較手段７で比較する比較対象画面同士がなるべく位置的に近いことが要求される。
【００３５】
フィールド（フレーム）間引き手段５はこれを実現するものである。図４は、フィールド（フレーム）間引き手段５での間引き処理を具体的に示す概念図である。なお、○は奇（偶）数フィールドを表し、×は偶（奇）数フィールドを表している。ここで、６２５／５０方式のフィールドを順にＦ１，Ｆ２，Ｆ３，・・・で表し、５２５／６０方式のフィールドを順にｆ１，ｆ２，ｆ３，・・・で表すと、はじめに５２５／６０方式の左（左端でフィールドが位置的に一致しているとする）から４フィールド目の画面ｆ４を間引き、以後、６フィールドごとに１フィールドずつの画面を間引く。 
【００３６】
これにより、比較対象同士の画面の本来の位置との距離差は最大でも０．４フィールド(５２５／６０方式への換算）になり、実用上十分な精度で画面同士を比較して伝送路上の伝送画質を監視できる。
【００３７】
この場合、伝送路１による伝送で処理遅延が存在するため、伝送前後のフィールドの相対位置関係は初めからは明らかではない。したがって、その相対位置関係を別途知る必要がある。これを知る方法の１つは、伝送されるディジタル映像信号中に重畳されている補助データ領域にあるタイムコードを参照する方法である。伝送路１の出力側、つまり５２５／６０方式側で、タイムコードを参照し、どのフィールドナンバーのときに間引くべきかを予め分からせるようにしておけば上記の間引き処理が可能となる。
【００３８】
このタイムコードがない場合、５２５／６０方式側ではどのフィールドを間引くのが最適かを知り得ない。この場合には、以下に説明する本発明の第２の実施形態のように、中央監視室６で間引き対象のフィールドを選ぶようにすればよい。
【００３９】
図５は、本発明に係る伝送画質監視装置の第２の実施形態を示すブロック図であり、図１と同一または同等部分には同じ番号を付している。第２の実施形態は、５２５／６０方式側においてフィールド間引きをその場では行わず、中央監視室６では伝送されてきた画質特徴量がどのフィールドのものであるかが分かるので、画質特徴量の段階でフィールドの間引きを行う、ということを原理としている。
【００４０】
本実施例は、伝送路１の入力側の映像を抽出し、走査線間引き手段２で走査線を間引き、画質特徴量抽出部３で画質特徴量を抽出して中央監視室６に伝送する点は、第１の実施形態と同じである。
【００４１】
しかし、伝送路１の出力側ではフィールド（フレーム）間引きを行わず、伝送路１から抽出した映像をそのまま画質特徴量抽出部５に入力し、ここで抽出された画質特徴量を中央監視室６に伝送する点が異なる。
【００４２】
このとき、５２５／６０方式ではフィールド数が６２５／５０方式側に比べて６：５の割合で多いため、画質特徴量抽出部５で抽出された画質特徴量もこの割合で多くなっている。したがって、画質特徴量抽出部３，５から伝送されてきた画質特徴量を中央監視室６の比較手段７で比較する前に、画質特徴量抽出部５から伝送されてきた画質特徴量をフィールド（フレーム）間引き手段８に入力し、６フィールドごとに１フィールドの割合で間引く。それぞれの画質特徴量はどのフィールドから抽出されたものか分かっていると前提できるので、これが可能となる。 
【００４３】
次に、フィールド（フレーム）間引き手段８において、どのようにして間引くフィールドを決定するかの処理について具体的に説明する。図６はこの決定処理の概念を示す図である。
【００４４】
図６の上段は、６２５／５０方式の各フィールドデータを示し、下段は５２５／６０方式の各フィールドデータを示している。図に実線で示すように、まず、それぞれのフィールドデータ同士を対応させて両者の差分絶対値和を算出する。この差分絶対値和が最も小さくなる組み合わせが位置的に最も近いフィールドであると判断できる。このようにして時間的位置を補正しつつ対応するフィールドを見つけ出すことができる。対応するフィールドが見つかった後は、図４と同様にフィールドを間引けばよい。すなわち、はじめに左から４フィールド目の画面ｆ４を間引き、以後、６フィールドごとに１フィールドずつの画面を間引く。
【００４５】
上記実施形態の６２５／５０方式と５２５／６０方式では水平画素数は等しいため、水平画素の間引きは不要であるが、方式変換の結果、水平画素数が変わる場合には、水平画素についても同様に間引きを行う。
【００４６】
画質特徴量抽出部（上記実施形態の画質特徴抽出部３，５）の構成は、具体的には、特許文献１，２に記載された構成と同じでよい。図７は、特許文献１に記載された画質特徴量抽出部１０を示すブロック図である。本例の画質特徴量抽出部１０は、少ない計算量で高精度の画質特徴量を抽出できるようにしたものであり、ブロック分割部２１、直交変換部２２および係数抽出部２３からなる。
【００４７】
ブロック分割部２１は、入力映像を任意のサイズのブロックに分割し、するブロック分割手段と、直交変換部２２は、ブロック内の映像を直交変換し、係数抽出部２３は、直交変換された任意の周波数成分値を取り出す。なお、ブロック分割後にブロック内のスペクトル拡散を行って周波数特性に偏りのあるノイズを周波数拡散させ、その後に直交変換するようにしてもよい。
【００４８】
この構成では、画質特徴量抽出に際し、映像を任意のサイズのブロックに分割した後ブロックごとに直交変換するので、1回あたりの直交変換の計算量を減らすことができる。また、直交変換のある周波数成分を取り出して推定に使用することにより、変換前の信号を間引きにより同じ量だけ取り出す場合に比べ、劣化をより高精度に推定しやすくすることができる。これは、測定対象の符号化ノイズなどの画質劣化は、広い周波数帯域に渡って存在することが多いからである。
【００４９】
また、特許文献２に記載された画質特徴量抽出部を採用することもできる。これに記載された画質特徴量抽出部は、装置化が比較的容易な高速直交変換の使用を可能にしたものであり、図７と同様にブロック分割部、直交変換部および係数抽出部からなる。ブロック分割部は、入力映像を２のべき乗の正方形のブロックに分割し、直交変換部は、ブロック内の映像を直交変換し、係数抽出部は、直交変換された任意の周波数成分値を取り出す。
【００５０】
また、ブロック分割部、画像の有効画面外を含むブロックには予め定められた値を埋めて２のべき乗の正方形のブロックに構成する。なお、予め定められた値が埋め込まれたブロックに対しては、ブロックの面積をＳ、ブロック面積Ｓの内の予め定められた値で埋めた面積をＫとするとき、中央監視室６で平均自乗誤差(MSE)を算出するとき、それを補正して、Ｓ／（Ｓ−Ｋ）・ＭＳＥとする。
【００５１】
また、ブロック分割部で入力映像を２のべき乗の正方形のブロックに分割する際に、離れた画素をサンプリングして各ブロックを構成することもできる。
【００５２】
この構成では、任意のサイズの画面に対して２のべき乗のサイズの直交変換を適用することが可能になるため、伝送画質監視装置の簡易化が可能になる。また、画像をブロック分割する際、隣り合った画素同士ではなく離れた画素をサンプリングして各ブロックを構成することにより、画像面上の広い範囲を比較的小さいサイズのブロックでカバーして監視することができるようになり、伝送画質監視装置の簡易化が可能になる。
【００５３】
以上説明したように、本発明では、走査線（垂直ライン）数やフィールド（フレーム）数、水平画素数が異なるような映像に対し、それぞれの数の多い側の映像から走査線、フィールド（フレーム）、画素の間引き処理を施した上で画質特徴量を抽出して中央監視室へ伝送して比較することにより、伝送路の途中に映像方式変換装置が設けられている場合でも伝送路上の伝送画質を監視できる。
【００５４】
また、本発明によれば、走査線（垂直ライン）数やフィールド（フレーム）数、水平画素数が異なるような映像に対し、走査線（垂直ライン）数、水平画素数の多い側の映像から走査線、画素の間引き処理を施した上で画質特徴量を抽出して中央監視室へ伝送し、中央監視室ではフィールド（フレーム）数の多い側から伝送されてきた画質特徴量に対し、その分の間引き処理を施した後に比較することにより、伝送路の途中に映像方式変換装置が設けられている場合でも伝送路上の伝送画質を監視できる。
【図面の簡単な説明】
【００５５】
【図１】本発明に係る伝送画質監視装置の第１の実施形態を示すブロック図である。
【図２】６２５／５０方式と５２５／６０方式のフィールドと走査線の違いと両者間での方式変換の概念を示す図である。
【図３】走査線の間引き処理を具体的に示す概念図である。
【図４】フィールド（フレーム）の間引き処理を具体的に示す概念図である。
【図５】本発明に係る伝送画質監視装置の第２の実施形態を示すブロック図である。
【図６】間引くフィールドを決定する処理の概念を示す図である。
【図７】画質特徴量抽出部の構成例を示すブロック図である。
【符号の説明】
【００５６】
１・・・伝送路（方式変換装置を含む）、２・・・走査線間引き手段、３，５，１０・・・画質特徴量抽出手段、４，８・・・フィールド（フレーム）間引き手段、６・・・中央監視室、７・・・比較手段、１１・・・ブロック分割部、１２・・・直交変換部、１３・・・係数抽出部
【図１】
2005252453.tif 000003
【図２】
2005252453.tif 000004
【図３】
2005252453.tif 000005
【図４】
2005252453.tif 000006
【図５】
2005252453.tif 000007
【図６】
2005252453.tif 000008
【図７】
2005252453.tif 000009